(57)【特許請求の範囲】
【請求項１】
２名以上の人物の画像データを記憶する画像記憶部と、
前記人物が試着する品を特定する品特定手段と、
前記画像記憶部に２名以上の人物の画像データが記憶されかつ前記品特定手段により品が特定されると、前記画像記憶部に記憶された画像データに基づいて２名以上の人物の画像を表示するとともに、いずれかの人物の画像に対しては前記品特定手段により特定された品の画像を重ね合わせて表示する表示手段と、
前記２名以上の人物の間柄を取得する間柄取得手段と、
各品に関連付けて前記２名以上の人物の間柄別に一方の人物が着用した場合に他方の人物に対して推奨する推奨品を記憶したデータベースを参照して、前記品特定手段により特定された品に関連付けて記憶されている間柄別の推奨品の中から前記間柄取得手段により取得された間柄に対する推奨品を決定する推奨品決定手段と、
前記推奨品を報知する報知手段と、
を具備したことを特徴とする仮想試着装置。
【請求項２】
前記画像記憶部に２名以上の人物の画像データが記憶されかつ前記品特定手段により品が特定されると、前記２名以上の人物のなかから前記特定された品を試着する人物を選択する選択手段、をさらに備え、
前記表示手段は、前記選択手段により選択された人物の画像に対して前記品特定手段により特定された品の画像を重ね合わせて表示することを特徴とする請求項１記載の仮想試着装置。
【請求項３】
試着する人物を撮影する撮影手段、をさらに備え、
前記撮影手段により撮影された人物の画像データを前記画像記憶部で記憶することを特徴とする請求項１または２記載の仮想試着装置。
【請求項４】
前記報知手段は、前記品を試着する人物に対して前記間柄取得手段により取得された間柄の関係がある人物の画像に、前記推奨品の画像を重ね合わせて表示することを特徴とする請求項１乃至３のうちいずれか１に記載の仮想試着装置。
【請求項５】
前記決定手段により決定された推奨品が２品以上の場合、前記報知手段は、前記推奨品を１品ずつ選択してその推奨品の画像を前記間柄取得手段により取得された間柄の関係がある人物の画像に重ね合わせて表示することを特徴とする請求項４記載の仮想試着装置。
【請求項６】
２名以上の人物の画像データを記憶する画像記憶部を備えたコンピュータに、
前記人物が試着する品を特定させる品特定機能と、
前記画像記憶部に２名以上の人物の画像データが記憶されかつ前記品特定機能により品が特定されると、前記画像記憶部に記憶された画像データに基づいて２名以上の人物の画像を表示部に表示させるとともに、いずれかの人物の画像に対しては前記品特定機能により特定された品の画像を重ね合わせて表示させる表示機能と、
前記２名以上の人物の間柄を取得する間柄取得機能と、
各品に関連付けて前記２名以上の人物の間柄別に一方の人物が着用した場合に他方の人物に対して推奨する推奨品を記憶したデータベースを参照して、前記品特定機能により特定された品に関連付けて記憶されている間柄別の推奨品の中から前記間柄取得機能により取得された間柄に対する推奨品を決定する推奨品決定機能と、
前記推奨品を報知する報知機能と、
を実現させるための仮想試着プログラム。
【発明の詳細な説明】
【技術分野】
【０００１】
本発明の実施形態は、衣料品，装飾品等の服飾品の試着を仮想的に行う仮想試着装置及びコンピュータを当該仮想試着装置として機能させるための仮想試着プログラムに関する。
【背景技術】
【０００２】
近年、人物を撮影した画像データに服飾品を撮影した画像データを重ね合わせた合成画像を形成する技術が知られている。この技術を利用することで、服飾品の購入を検討している顧客が、その服飾品を実際に身に着けることなく着用したイメージを捉えることができる。
【０００３】
しかしながら、服飾品を購入する際には、購入者が身に着けているときのイメージだけでなく、購入者が同伴者と共に居るときのイメージから検討する場合がある。従来の仮想試着装置は、同伴者も含めた仮想試着のイメージを顧客に提示することはできない。このため、顧客が同伴者と共に居るときのイメージを具体的に顧客に描かせることは困難である。
【先行技術文献】
【特許文献】
【０００４】
【特許文献１】特開２００２−０３２６４０号公報
【発明の概要】
【発明が解決しようとする課題】
【０００５】
本発明が解決しようとする課題は、購入者が同伴者と共に居るときのイメージを具体的に顧客に描かせることで、顧客の購買意欲をより一層高めることができる仮想試着装置を提供しようとするものである。
【課題を解決するための手段】
【０００６】
一実施形態において、仮想試着装置は、画像記憶部と、品特定手段と、表示手段と、間柄取得手段と、推奨品決定手段と、報知手段とを備える。画像記憶部は、２名以上の人物の画像データを記憶する。品特定手段は、人物が試着する品を特定する。表示手段は、画像記憶部に２名以上の人物の画像データが記憶されかつ品特定手段により品が特定されると、画像記憶部に記憶された画像データに基づいて２名以上の人物の画像を表示するとともに、いずれかの人物の画像に対しては品特定手段により特定された品の画像を重ね合わせて表示する。間柄取得手段は、２名以上の人物の間柄を取得する。推奨品決定手段は、各品に関連付けて２名以上の人物の間柄別に一方の人物が着用した場合に他方の人物に対して推奨する推奨品を記憶したデータベースを参照して、品特定手段により特定された品に関連付けて記憶されている間柄別の推奨品の中から間柄取得手段により取得された間柄に対する推奨品を決定する。報知手段は、推奨品を報知する。
【図面の簡単な説明】
【０００７】
【図１】一実施形態である仮想試着システムの全体構成図。
【図２】同システムの試着支援サーバで管理される商品情報データベースに蓄積される画像データレコードの構成図。
【図３】同システムの試着支援サーバで管理される商品画像データベースに蓄積される商品データレコードの構成図。
【図４】同システムの試着支援サーバで管理される推奨商品データベースに蓄積される推奨商品データレコードの構成図。
【図５】同システムの試着室端末を装備した試着室を示す斜視図。
【図６】同システムにおける試着室端末の要部構成を示すブロック図。
【図７】同システムにおける試着室端末のＲＡＭに形成される主要なメモリエリアを示す模式図。
【図８】同システムにおける試着室端末のＣＰＵが仮想試着プログラムに従って実行する情報処理手順を示す流れ図。
【図９】図８のステップＳＴ１０である同伴者処理の手順を具体的に示す流れ図。
【図１０】図８のステップＳＴ１１である試着処理の手順を具体的に示す流れ図。
【図１１】図１０のステップＳＴ４５である同伴者推奨処理の手順を具体的に示す流れ図。
【図１２】図８のステップＳＴ１２である購入処理の手順を具体的に示す流れ図。
【図１３】同システムにおける試着室端末のタッチパネルに表示されるボタン画像の一例を示す模式図。
【図１４】同システムにおける試着室端末のタッチパネルに表示される同伴者属性選択画面の一例を示す模式図。
【図１５】同システムにおける試着室端末のタッチパネルに表示される試着対象者選択画面の一例を示す模式図。
【図１６】同システムにおける試着室端末のタッチパネルに表示される同伴者推奨サービス選択画面の一例を示す模式図。
【図１７】同システムにおける試着室端末のタッチパネルに表示されるお客様用購入確認画面の一例を示す模式図。
【図１８】同システムにおける試着室端末のタッチパネルに表示される同伴者用購入確認画面の一例を示す模式図。
【図１９】同システムにおける試着室端末のタッチパネルに表示される合計確認画面の一例を示す模式図。
【発明を実施するための形態】
【０００８】
以下、仮想試着装置の実施形態について、図面を用いて説明する。なお、この実施形態は、衣料品，装飾品等の服飾品を商品として販売する店の試着室に装備される試着室端末２を仮想試着装置に適用した場合である。
【０００９】
図１は、本実施形態に係る仮想試着システムの全体構成図である。このシステムは、試着支援サーバ１と試着室端末２とを含む。試着室端末２は、店の試着室３に装備される。試着支援サーバ１と試着室端末２とは、インターネット等のネットワーク４によって双方向通信自在に接続される。
【００１０】
試着支援サーバ１は、商品情報データベース５、商品画像データベース６及び推奨商品データベース７を主に管理する。商品情報データベース５は、当該店にて販売される商品に関するデータを蓄積する。商品画像データベース６は、商品の画像データを蓄積する。推奨商品データベース７は、商品を試着した顧客の同伴者に対して推奨する商品のデータを蓄積する。
【００１１】
図２は、商品情報データベース５に格納される商品データレコード５Ｒの構成図である。図２に示すように、商品情報データベース５には、商品ＩＤ、商品分類、商品名、価格及び同伴者属性別の推奨商品コードを含む商品データレコード５Ｒが蓄積される。商品ＩＤは、衣料品，装飾品等の服飾品に属する商品を個々に識別するために割当てられる固有のコードである。商品分類は、対応する商品ＩＤによって特定される商品の種類（スーツ、ワンピース、ジャケット、ワイシャツ、ネクタイ、ネットレス等）を特定するデータである。商品名及び価格は、同商品のデータである。同伴者属性別の推奨商品コードは、顧客と同伴者との様々な間柄（夫婦、恋人、親子、友人等）を区分する同伴者属性Ａ，Ｂ，Ｃ，…，Ｘ別に、同商品を顧客または同伴者の一方が着用した場合に他方に対して推奨する商品をまとめた群を特定するコードである。
【００１２】
図３は、商品画像データベース６に格納される画像データレコード６Ｒの構成図である。図３に示すように、商品画像データベース６には、商品ＩＤと商品画像データとを含む画像データレコード６Ｒが蓄積される。商品画像データは、対応する商品ＩＤによって特定される商品を撮影した画像のデータである。
【００１３】
図４は、推奨商品データベース７に格納される推奨商品データレコード７Ｒの構成図である。図４に示すように、推奨商品データベース７には、推奨商品コード、推奨商品数ｎ及びこの数ｎ個分の商品ＩＤ１〜商品ＩＤｎを含む推奨商品データレコード７Ｒが蓄積される。推奨商品数ｎは、対応する推奨商品コードで特定される推奨商品群に属する商品の総数である。商品ＩＤ１〜商品ＩＤｎは、同推奨商品群に属する商品の個々の商品ＩＤである。
【００１４】
図５は、前記試着室端末２を装備した試着室３を示す斜視図である。試着室３は、図５に示すように、上面と正面の一部とが開口した直方体形状を有する。試着室３の正面の開口部分は、顧客が出入するための出入口３１となる。出入口３１には、布製のカーテン３２が図示しないカーテンレールによって開閉自在に取り付けられる。なお、試着室３の出入口３１は、カーテン３２の代わりに、例えばスライド開閉自在な扉を設けてもよい。
【００１５】
図５では、カーテン３２を開いた状態の試着室３を示しているため、試着室３の中を視認できる。図５に示すように、試着室３の中の背面側の壁には、商品である服飾品を試着する顧客の画像を表示する試着室端末２が取り付けられる。そして、この試着室端末２の上方位置に、蛍光灯である照明３３が取り付けられる。
【００１６】
試着室端末２は、厚みのある平板状のハウジング２１を備える。そしてこのハウジング２１に対して、例えば液晶ディスプレイからなる表示部２２と、試着室３に入って商品を試着する人物を撮影する撮影手段としてのカメラ２３とが取り付けられる。また、バーコードを読み取るためのスキャナ２４と、操作部としてのタッチパネル２５とが、ハウジング２１の近傍に取り付けられる。スキャナ２４とタッチパネル２５とは、試着室端末２との間でデータ通信可能に有線接続される。バーコードは、例えば商品に付された商品タグに印刷されており、当該商品タグが付された商品の商品ＩＤを表わす。
【００１７】
試着室３の背面には、細長い円柱状のポール３４が立設される。ポール３４の先端部には、例えば赤色を発光可能な発光部２６が設けられる。発光部２６は、ポール３４を通る図示しない通信線によって試着室端末２と接続されており、試着室端末２のＣＰＵ２０１（図６参照）によって動作制御を受ける。なお、ＣＰＵ２０１による動作制御を受けていない状態では、発光部２６は発光動作をしていない。
【００１８】
図６は、試着室端末２の要部構成を示すブロック図である。試着室端末２は、制御部本体としてＣＰＵ（Central Processing Unit）２０１を備える。また、主記憶部であるＲＯＭ（Read Only Memory）２０２及びＲＡＭ（Random Access Memory）２０３と、不揮発性メモリであるフラッシュメモリ２０４とを備える。ＲＯＭ２０２，ＲＡＭ２０３及びフラッシュメモリ２０４は、アドレスバス，データバス等のバスライン２０５を介してＣＰＵ２０１に接続される。
【００１９】
また、試着室端末２は、前記ネットワーク４に接続され、このネットワーク４を介して前記試着支援サーバ１との間で行われるデータ通信を司る通信インターフェース２０６、前記スキャナ２４で読み取られたバーコードデータを取り込むスキャナインターフェース２０７、前記カメラ２３の撮影動作を制御するカメラコントローラ２０８、前記表示部２２を制御する表示コントローラ２０９、前記タッチパネル２５の画面表示を制御するとともにタッチされた位置の座標データを検出するタッチパネルコントローラ２１０及び前記発光部２６に対して発光オン、オフの信号を出力する出力ポート２１１を備える。これら通信インターフェース２０６、スキャナインターフェース２０７、カメラコントローラ２０８、表示コントローラ２０９、タッチパネルコントローラ２１０及び出力ポート２１１も、前記バスライン２０５を介してＣＰＵ２０１に接続される。
【００２０】
ＲＯＭ２０２には、後述する仮想試着プログラム等の固定的データが予め格納される。ＲＡＭ２０３には、種々の可変的データを書き換え自在に記憶するためのメモリエリアが形成される。  
図７は、ＲＡＭ２０３に形成される主要なメモリエリアを示す。客画像１エリア４１、客画像２エリア４２、同伴者属性エリア４３、同伴者フラグエリア４４、試着商品ＩＤ１エリア４５、試着商品ＩＤ２エリア４６、推奨商品コードエリア４７及び合計エリア４８が、ＲＡＭ２０３に形成される。
【００２１】
客画像１エリア４１及び客画像２エリア４２は、試着する人物の画像データを記憶する画像記憶部であり、カメラ２３によって撮影された人物の画像データが格納される。同伴者属性エリア４３は、客画像１エリア４１と客画像２エリア４２とにそれぞれ人物画像データが格納された二人の人物の間柄を表わす同伴者属性データを記憶する。同伴者フラグエリア４４は、試着する人物に対して同伴者がいる場合にセットされる同伴者フラグを記憶する。試着商品ＩＤ１エリア４５は、客画像１エリア４１に画像データが格納された人物が仮想的に試着する商品の商品ＩＤ等を記憶する。試着商品ＩＤ２エリア４６は、客画像２エリア４２に画像データが格納された人物が仮想的に試着する商品の商品ＩＤ等を記憶する。推奨商品コードエリア４７は、同伴者に対して推奨する商品がまとめられた推奨商品群を識別する推奨商品コードを記憶する。合計エリア４６は、試着商品ＩＤ１エリア４５及び試着商品ＩＤ２エリア４６に記憶された商品ＩＤで識別される商品の価格を合計を記憶する。
【００２２】
かかる構成の試着室端末２は、デフォルトの状態として、タッチパネル２５にスタートボタンが表示される。そしてこのスタートボタンがタッチされると、試着室端末２では、仮想試着プログラムが起動する。このプログラムの起動により、ＣＰＵ２０１は、図８の流れ図に示す手順の処理を開始する。
【００２３】
先ず、ＣＰＵ２０１は、同伴者フラグエリア４４から同伴者フラグをリセットする（ＳＴ１）。次に、ＣＰＵ２０１は、タッチパネル２５に「撮影」ボタンを表示させ、タッチされるのを待機する（ＳＴ２）。「撮影」ボタンがタッチされると（ＳＴ２にてＹＥＳ）、ＣＰＵ２０１は、カメラ２３を作動させる（ＳＴ３）。これにより、試着室３内が撮影されるので、ＣＰＵ２０１は、カメラ２３によって撮影された画像から人物の画像データを切り出し、客画像１エリア４１に格納する（ＳＴ４）。またＣＰＵ２０１は、客画像１エリア４１に格納した画像データから、人物画像を表示部２２に表示させる（ＳＴ５）。
【００２４】
次に、ＣＰＵ２０１は、図１３に示すように、タッチパネル２５に「試着」ボタン５１、「同伴者」ボタン５２、「購入」ボタン５３及び「終了」ボタン５４を表示させる。そしていずれかのボタン５１〜５４がタッチされるのを待機する（ＳＴ６，７，８，９）。ここで、「同伴者」ボタン５２がタッチされた場合には、ＣＰＵ２０１は、同伴者処理を実行する（ＳＴ１０）。そして、同伴者処理が終了したならば、ＣＰＵ２０１は、再度、いずれかのボタン５１〜５４がタッチされるのを待機する（ＳＴ６，７，８，９）。
【００２５】
同様に、「試着」ボタン５１がタッチされた場合には、ＣＰＵ２０１は、試着処理を実行する（ＳＴ１１）。そして、試着処理が終了したならば、ＣＰＵ２０１は、再度、いずれかのボタン５１〜５４がタッチされるのを待機する（ＳＴ６，７，８，９）。
【００２６】
一方、「購入」ボタン５３がタッチされた場合には、ＣＰＵ２０１は、購入処理を実行する（ＳＴ１２）。そして購入処理が終了したならば、ＣＰＵ２０１は、表示部２２の表示を消去する（ＳＴ１３）。また、「終了」ボタン５４がタッチされた場合には、ＣＰＵ２０１は、直ちに表示部２２を消去する（ＳＴ１３）。表示部２２が消去されると、仮想試着プログラムは終了する。
【００２７】
図９は、ステップＳＴ１０の同伴者処理の手順を具体的に示す流れ図である。すなわち図１３の画面において、「同伴者」ボタン５２がタッチされると、ＣＰＵ２０１は、同伴者フラグエリア４４をチェックする（ＳＴ２１）。同伴者フラグエリア４４に同伴者フラグがセットされていない場合、同伴者は未登録である。逆に、同伴者フラグがセットされている場合には、同伴者が登録済である。同伴者が登録済の場合（ＳＴ２１にてＮＯ）、同伴者処理は終了する。
【００２８】
同伴者が未登録の場合には（ＳＴ２１にてＹＥＳ）、ＣＰＵ２０１は、タッチパネル２５に同伴者属性選択画面６０を表示させる。図１４は、同伴者属性選択画面６０の一例である。図示するように同伴者属性選択画面６０には、プルダウン式の選択ボックス６１が形成され、このボックス６１のプルダウンリストに掲載されている項目の中からいずれか１項目が選択可能である。プルダウンリストには、「恋人（男性）」、「恋人（女性）」、「夫」、「妻」、「友人（女性）」というように、客と同伴者との二人の間柄を表わす項目、すなわち同伴者属性が設定されている。
【００２９】
また、同伴者属性選択画面６０には、「実行」ボタン６１が表示されており、ＣＰＵ２０１は、「実行」ボタン６１がタッチされるのを待機する（ＳＴ２３）。「実行」ボタン６１がタッチされると（ＳＴ２３のＹＥＳ）、ＣＰＵ２０１は、選択ボックス６１にて選択された項目が、客と同伴者との間柄を指定する同伴者属性のデータであると認識する。そしてＣＰＵ２０１は、この同伴者属性のデータを同伴者属性エリア４３に格納する（ＳＴ２４：間柄取得手段）。
【００３０】
またＣＰＵ２０１は、タッチパネル２５に「撮影」ボタンを表示させ、タッチされるのを待機する（ＳＴ２５）。「撮影」ボタンがタッチされると（ＳＴ２５にてＹＥＳ）、ＣＰＵ２０１は、カメラ２３を作動させる（ＳＴ２６）。これにより、試着室３内が撮影されるので、ＣＰＵ２０１は、カメラ２３によって撮影された画像データから人物の画像データを切り出し、客画像２エリア４２に格納する（ＳＴ２７）。またＣＰＵ２０１は、客画像１エリア４１に格納した画像データの客画像と客画像２エリア４２に格納した画像データの客画像とを左右に並べて表示部２２に表示させる（ＳＴ２８）。さらにＣＰＵ２０１は、同伴者フラグエリア４４に同伴者フラグをセットする（ＳＴ２９）。以上で、同伴者処理は終了する。
【００３１】
図１０は、試着処理の手順を具体的に示す流れ図である。すなわち図１３の画面において、「試着」ボタン５１がタッチされると、ＣＰＵ２０１は、商品ＩＤが入力されるのを待機する（ＳＴ３１）。スキャナ２４によって商品ＩＤのバーコードが読み取られると（ＳＴ３１にてＹＥＳ）、ＣＰＵ２０１は、試着支援サーバ１に対し、そのバーコードから得られる商品ＩＤで識別される商品のデータを要求する。この要求に応答して、試着支援サーバ１から当該商品ＩＤを含む商品データレコード５Ｒを取得したならば（ＳＴ３２：品特定手段）、ＣＰＵ２０１は、同伴者フラグエリア４４を確認する（ＳＴ３３）。同伴者フラグエリア４４に同伴者フラグがセットされていない場合（ＳＴ３３にてＮＯ）、ＣＰＵ２０１は、ステップＳＴ４１の処理に進む。
【００３２】
ステップＳＴ４１では、ＣＰＵ２０１は、バーコードから得られた商品ＩＤを、試着商品ＩＤ１エリア４５に格納する。また、ＣＰＵ２０１は、試着支援サーバ１に対し、当該商品ＩＤで識別される商品の画像データを要求する。この要求に応答して、試着支援サーバ１から当該商品ＩＤを含む画像データレコード６Ｒを取得したならば、ＣＰＵ２０１は、この画像データレコード６Ｒに含まれる商品画像データの画像を、客画像１エリア４１に格納されている画像データの人物画像に重ね合わせて表示させる（ＳＴ４２）。
【００３３】
しかる後、ＣＰＵ２０１は、同伴者フラグエリア４４を再度確認する（ＳＴ４３）。この場合、同伴者フラグエリア４４に同伴者フラグがセットされていないので（ＳＴ４３にてＮＯ）、試着処理は終了する。
【００３４】
これに対し、同伴者フラグエリア４４に同伴者フラグがセットされている場合には（ＳＴ３３にてＮＯ）、ＣＰＵ２０１は、タッチパネル２５の画面を試着対象者選択画面７０に切り替える（ＳＴ３４）。試着対象者選択画面７０の一例を図１５に示す。図１５に示すように、試着対象者選択画面７０には、「お客様」ボタン７１と「同伴者」ボタン７２とが表示されている。ＣＰＵ２０１は、「お客様」ボタン７１または「同伴者」ボタン７２がタッチされるのを待機する（ＳＴ３５，３６：選択手段）。
【００３５】
「お客様」ボタン７１がタッチされると（ＳＴ３５にてＹＥＳ）、ＣＰＵ２０１は、ステップＳＴ４１の処理に進む。すなわちＣＰＵ２０１は、バーコードから得られた商品ＩＤを、試着商品ＩＤ１エリア４５に格納する（ＳＴ４１）。また、ＣＰＵ２０１は、試着支援サーバ１に対し、当該商品ＩＤで識別される商品の画像データを要求する。この要求に応答して、試着支援サーバ１から当該商品ＩＤを含む画像データレコード６Ｒを取得したならば、ＣＰＵ２０１は、この画像データレコード６Ｒに含まれる商品画像データの画像を、客画像１エリア４１に格納されている画像データの人物画像に重ね合わせて表示させる（ＳＴ４２：表示手段）。
【００３６】
しかる後、ＣＰＵ２０１は、同伴者フラグエリア４４を再度確認する（ＳＴ４３）。この場合、同伴者フラグエリア４４に同伴者フラグがセットされているので、ＣＰＵ２０１は、タッチパネル２５の画面を同伴者推奨サービス選択画面８０に切り替える（ＳＴ４４）。同伴者推奨サービス選択画面８０の一例を図１６に示す。図１６に示すように同伴者推奨サービス選択画面８０には、同伴者推奨サービスを利用するときタッチされる「ＹＥＳ」ボタン８１と利用しないときタッチされる「ＮＯ」ボタン８２とが表示される。
【００３７】
ＣＰＵ２０１は、「ＹＥＳ」ボタン８１または「ＮＯ」ボタン８２のいずれか一方が操作されるのを待機する（ＳＴ４５）。「ＹＥＳ」ボタン８１がタッチされると（ＳＴ４５にてＹＥＳ）、ＣＰＵ２０１は、同伴者推奨処理を実行する（ＳＴ４６）。「ＮＯ」ボタン８２がタッチされた場合には（ＳＴ４５にてＮＯ）、同伴者推奨処理は実行されない。以上で、試着処理は終了する。
【００３８】
試着対象者選択画面７０において、「同伴者」ボタン７２がタッチされた場合には（ＳＴ３６にてＹＥＳ）、ＣＰＵ２０１は、バーコードから得られた商品ＩＤを、試着商品ＩＤ２エリア４６に格納する（ＳＴ３７）。また、ＣＰＵ２０１は、試着支援サーバ１に対し、当該商品ＩＤで識別される商品の画像データを要求する。この要求に応答して、試着支援サーバ１から当該商品ＩＤを含む画像データレコード６Ｒを取得したならば、ＣＰＵ２０１は、この画像データレコード６Ｒに含まれる商品画像データの画像を、客画像２エリア４２に格納されている画像データの人物画像に重ね合わせて表示させる（ＳＴ３８：表示手段）。以上で、試着処理は終了する。
【００３９】
図１１は、同伴者推奨処理の手順を具体的に示す流れ図である。すなわち同伴者推奨サービス選択画面８０の「ＹＥＳ」ボタン８１がタッチされると、ＣＰＵ２０１は、先ず、同伴者属性エリア４３から同伴者属性データを取得する。そしてＣＰＵ２０１は、試着商品１エリア４５に格納されている商品ＩＤの商品データレコードから当該同伴者属性データの推奨商品コードを取得する（ＳＴ５１）。
【００４０】
次いで、ＣＰＵ２０１は、試着支援サーバ１に対し、この推奨商品コードで識別される推奨商品群の商品ＩＤ（推奨商品ＩＤ１〜ＩＤｎ）を要求する。この要求に応答して、試着支援サーバ１から当該推奨商品コードを含む推奨商品データレコード７Ｒを取得したならば（ＳＴ５２：推奨品決定手段）、ＣＰＵ２０１は、カウンタｉを一旦“０”にリセットする（ＳＴ５３）。そしてＣＰＵ２０１は、カウンタｉを“１”だけカウントアップする（ＳＴ５４）。
【００４１】
カウンタｉをカウントアップする毎に、ＣＰＵ２０１は、カウンタｉが推奨商品データレコード７Ｒに含まれる推奨商品数ｎを超えたか否かを確認する（ＳＴ５５）。超えていない場合（ＳＴ５５のＮＯ）、ＣＰＵ２０１は、推奨商品データレコード７Ｒから推奨商品ＩＤｉ（“ｉ”はカウンタｉの値）を取得する（ＳＴ５６）。
【００４２】
ＣＰＵ２０１は、取得した推奨商品ＩＤｉを試着商品ＩＤ２エリア４６に格納する（ＳＴ５７）。また、ＣＰＵ２０１は、試着支援サーバ１に対し、当該商品ＩＤで識別される商品の画像データを要求する。この要求に応答して、試着支援サーバ１から当該商品ＩＤを含む画像データレコード６Ｒを取得したならば、ＣＰＵ２０１は、この画像データレコード６Ｒに含まれる商品画像データの画像を、客画像２エリア４２に格納されている画像データの人物画像に重ね合わせて表示させる（ＳＴ５８：報知手段）。
【００４３】
しかる後、ＣＰＵ２０１は、タッチパネル２５に「次へ」ボタンと「終了」ボタンとを表示させる。そしてＣＰＵ２０１は、「次へ」ボタンまたは「終了」ボタンのいずれかがタッチされるのを待機する（ＳＴ５９，６０）。ここで、「終了」ボタンがタッチされると（ＳＴ６０にてＹＥＳ）、同伴者推奨処理は終了する。
【００４４】
これに対し、「次へ」ボタンがタッチされた場合には（ＳＴ５９にてＹＥＳ）、ＣＰＵ２０１は、ステップＳＴ５４の処理に戻る。すなわちＣＰＵ２０１は、カウンタｉをさらにカウントアップする。そして、カウンタｉが推奨商品数ｎを超えていなければ、ＣＰＵ２０１は、ステップＳＴ５６〜ＳＴ６０の各処理を実行する。カウンタｉが推奨商品数ｎを超えた場合には、ＣＰＵ２０１は、カウンタｉを“０”にリセットする（ＳＴ５３）。しかる後、ＣＰＵ２０１は、ステップＳＴ５４以降の処理を再度実行する。
【００４５】
図１２は、購入処理の手順を具体的に示す流れ図である。すなわち図１３の画面において、「購入」ボタン７１がタッチされると、ＣＰＵ２０１は、同伴者フラグエリア４４を確認する（ＳＴ７１）。同伴者フラグエリア４４に同伴者フラグがセットされていない場合（ＳＴ７１にてＮＯ）、ＣＰＵ２０１は、試着商品ＩＤ１エリア４５に商品ＩＤが格納されているか否かを確認する（ＳＴ７２）。商品ＩＤが格納されていない場合（ＳＴ７２にＮＯ）、試着する商品を選択する前に「購入」ボタン７１にタッチした誤操作なので、購入処理は終了する。
【００４６】
これに対し、試着商品ＩＤ１エリア４５に商品ＩＤが格納されている場合には（ＳＴ７２にてＹＥＳ）、ＣＰＵ２０１は、この商品ＩＤで識別される商品の商品名及び価格を、「確認」ボタンとともに表示する（ＳＴ７２）。そしてＣＰＵ２０１は、「確認」ボタンがタッチされるのを待機する（ＳＴ８４）。「確認」ボタンがタッチされると（ＳＴ８４にてＹＥＳ）、購入処理は終了する。
【００４７】
一方、同伴者フラグエリア４４に同伴者フラグがセットされている場合（ＳＴ７１にてＹＥＳ）、ＣＰＵ２０１は、合計エリア４８をクリアする（ＳＴ７４）。しかる後、ＣＰＵ２０１は、試着商品ＩＤ１エリア４５に商品ＩＤが格納されているか否かを確認する（ＳＴ７５）。商品ＩＤが格納されていない場合（ＳＴ７５にてＮＯ）、ＣＰＵ２０１は、ステップＳＴ７９の処理に進む。
【００４８】
試着商品ＩＤ１エリア４５に商品ＩＤが格納されている場合（ＳＴ７５にてＹＥＳ）、ＣＰＵ２０１は、タッチパネル２５に客様用購入確認画面９０を表示させる（ＳＴ７６）。客様用購入確認画面９０の一例を図１７に示す。図１７に示すように、客様用購入確認画面９０には、試着商品ＩＤ１エリア４５に格納されている商品ＩＤによって特定される商品の商品名及び価格が、「購入する」ボタン９１及び「購入しない」ボタン９２とともに表示される。
【００４９】
ＣＰＵ２０１は、「購入する」ボタン９１または「購入しない」ボタン９２のいずれかがタッチされるのを待機する（ＳＴ７７）。「購入しない」ボタン９２がタッチされると（ＳＴ７７にてＮＯ）、ＣＰＵ２０１は、ステップＳＴ７９の処理に進む。
【００５０】
これに対し、「購入する」ボタン９１がタッチされた場合には（ＳＴ７７にてＹＥＳ）、ＣＰＵ２０１は、試着商品ＩＤ１エリア４５に格納された商品ＩＤによって特定される商品の価格を合計エリア４８に加算する（ＳＴ７８）。しかる後、ＣＰＵ２０１は、ステップＳＴ７９の処理に進む。
【００５１】
ステップＳＴ７９では、ＣＰＵ２０１は、試着商品ＩＤ２エリア４６に商品ＩＤが格納されているか否かを確認する。商品ＩＤが格納されていない場合（ＳＴ７９にてＮＯ）、ＣＰＵ２０１は、ステップＳＴ８３の処理に進む。
【００５２】
試着商品ＩＤ２エリア４５に商品ＩＤが格納されている場合には（ＳＴ７９にてＹＥＳ）、ＣＰＵ２０１は、タッチパネル２５に同伴者用購入確認画面１００を表示させる（ＳＴ８０）。同伴者用購入確認画面１００の一例を図１８に示す。図１８に示すように、同伴者用購入確認画面１００には、試着商品ＩＤ２エリア４６に格納されている商品ＩＤによって特定される商品の商品名及び価格が、「購入する」ボタン１０１及び「購入しない」ボタン１０２とともに表示される。
【００５３】
ＣＰＵ２０１は、「購入する」ボタン１０１または「購入しない」ボタン１０２のいずれかがタッチされるのを待機する（ＳＴ８１）。「購入しない」ボタン１０２がタッチされると（ＳＴ８１にてＮＯ）、ＣＰＵ２０１は、ステップＳＴ８３の処理に進む。
【００５４】
これに対し、「購入する」ボタン１０１がタッチされた場合には（ＳＴ８１にてＹＥＳ）、ＣＰＵ２０１は、試着商品ＩＤ２エリア４６に格納された商品ＩＤによって特定される商品の価格を合計エリア４８に加算する（ＳＴ８０）。しかる後、ＣＰＵ２０１は、ステップＳＴ８３の処理に進む。
【００５５】
ステップＳＴ８３では、ＣＰＵ２０１は、図１９に示すように、合計エリア４８内の金額を、試着商品ＩＤ１エリア４５に格納された商品ＩＤによって特定される商品の商品名及び価格と、試着商品ＩＤ２エリア４６に格納された商品ＩＤによって特定される商品の商品名及び価格とともにタッチパネル２５に表示する。またＣＰＵ２０１は、タッチパネル２５に「確認」ボタン１１１も表示する。そしてＣＰＵ２０１は、「確認」ボタン１１１がタッチされるのを待機する（ＳＴ８４）。「確認」ボタン１１１がタッチされると（ＳＴ８４にてＹＥＳ）、購入処理は終了する。
【００５６】
本実施形態の仮想試着システムが構築された店に同伴者とともに訪れた顧客は、商品を試着するために試着室３に入ると、先ず、タッチパネル２５のスタートボタンにタッチする。そうすると、タッチパネル２５に「撮影」ボタンが表示されるので、この「撮影」ボタンにタッチする。そうすると、カメラ２３が作動して顧客が撮影され、顧客の画像が表示部２２に表示される。このとき、客画像１エリア４１には、当該顧客の画像データが格納される。また、タッチパネル２５には、図１３に示すように、「試着」ボタン５１、「同伴者」ボタン５２、「購入」ボタン５３及び「終了」ボタン５４が表示される。
【００５７】
ここで、商品を仮想的に試着する場合、顧客は、「試着」ボタン５１にタッチした後、スキャナ２４を操作して、試着する商品に付されたバーコードを読み取らせる。そうすると、この商品の商品ＩＤが試着商品ＩＤ１エリア４５に格納される。また、この商品の画像を顧客の画像に重ね合わせた合成画像が、表示部２２に表示される。この合成画像により、顧客は、商品を着用したイメージを、商品を試着することなく捉えることができる。ただし、商品を着用した顧客が同伴者と共に居るときのイメージを具体的に捉えることは困難である。
【００５８】
そこで顧客は、「同伴者」ボタン５２にタッチする。そうすると、タッチパネル２５に、同伴者属性選択画面６０が表示されるので、顧客は、選択ボックス６１のプルダウンリストから同伴者との間柄に相当する項目を選択する。これにより、選択された項目を示す同伴者属性データが同伴者属性エリア４３に格納される。なお、顧客の代わりに同伴者が試着室３内に入って、プルダウンリストから項目を選択してもよい。
【００５９】
同伴者属性の項目を選択すると、タッチパネル２５に「撮影」ボタンが表示されるので、試着室３内に入った同伴者はこの「撮影」ボタンにタッチする。そうすると、カメラ２３が作動して同伴者が撮影され、同伴者の画像が顧客の画像と並んで表示部２２に表示される。したがって、顧客及び同伴者は、表示部２２に表示された画像、つまりは顧客と同伴者が並んでおり、顧客には商品が重ねられた画像から、商品を着用した顧客が同伴者と共に居るときのイメージを容易に捉えることができる。
【００６０】
なお、上記説明では、先に、顧客が試着する商品のバーコードをスキャナ２４で読み取り、その後、「同伴者」ボタン５２にタッチして同伴者の画像を撮影するようにした。しかしながら、本実施形態の仮想試着システムでは、上記のような順番に限定されるものではない。先に、「同伴者」ボタン５２にタッチして同伴者の画像を撮影した後、試着する商品のバーコードをスキャナ２４で読み取ってもよい。
【００６１】
すなわち、自身の画像が表示部２２に表示されたことを確認した顧客は、「同伴者」ボタン５２にタッチして同伴者と入れ替わる。あるいは同伴者と入れ替わり、同伴者が「同伴者」ボタン５２にタッチする。そうすると、タッチパネル２５に「撮影」ボタンが表示されるので、試着室３内に入った同伴者はこの「撮影」ボタンにタッチする。そうすると、カメラ２３が作動して同伴者が撮影され、同伴者の画像が顧客の画像と並んで表示部２２に表示される。このとき、客画像２エリア４２には、当該同伴者の画像データが格納される。また、タッチパネル２５には、「試着」ボタン５１、「同伴者」ボタン５２、「購入」ボタン５３及び「終了」ボタン５４が再度表示される。
【００６２】
そこで顧客または同伴者は、スキャナ２４を操作して、試着する商品に付されたバーコードを読み取らせる。そうすると、タッチパネル２５に試着対象者選択画面７０が表示されるので、顧客または同伴者は、当該商品を顧客が試着する場合には「お客様」ボタン７１にタッチする。そうすると、この商品の商品ＩＤが試着商品ＩＤ１エリア４５に格納される。また、この商品の画像を顧客の画像に重ね合わせた合成画像が、同伴者の画像とともに表示部２２に表示される。したがって、顧客及び同伴者は、表示部２２の画像から商品を着用した顧客が同伴者と共に居るときのイメージを容易に捉えることができる。
【００６３】
なお、本実施形態では、商品を顧客が試着するのでなく同伴者が試着することも可能である。すなわち、試着対象者選択画面７０において、顧客または同伴者が「同伴者」ボタン５２にタッチすると、この商品の商品ＩＤが試着商品ＩＤ２エリア４６に格納される。また、この商品の画像を同伴者の画像に重ね合わせた合成画像が、顧客の画像とともに表示部２２に表示される。したがって、顧客及び同伴者は、表示部２２の画像から商品を着用した同伴者が顧客と共に居るときのイメージを容易に捉えることができる。
【００６４】
ところで、商品を試着した顧客だけでなく同伴者も別の商品を試着して、二人が共に居るときのイメージを掴みたいという要望もある。この場合には、顧客または同伴者は、図１３の画面において、「同伴者」ボタン５２にタッチして同伴者登録を行った後、「試着」ボタン５１にタッチする。そして顧客または同伴者は、スキャナ２４を操作して、同伴者が試着する商品のバーコードを読み取らせる。そうすると、タッチパネル２５に試着対象者選択画面７０が表示されるので、顧客または同伴者は、「同伴者」ボタン７２にタッチする。そうすると、この商品の商品ＩＤが試着商品ＩＤ２エリア４６に格納される。また、この商品の画像を同伴者の画像に重ね合わせた合成画像が、顧客の画像とともに表示部２２に表示される。
【００６５】
したがって、表示部２２には、顧客と同伴者の画像が並んで表示されるとともに、各人物画像にはそれぞれ試着する商品の画像が重ね合わせて表示されるので、各人が商品を着用したイメージを容易に捉えることができる。
【００６６】
また、本実施形態の仮想試着システムは、商品を試着した顧客の同伴者に対して商品を推奨する機能を有している。この機能は、同伴者登録を終えた顧客が、自らが着用する商品のバーコードをスキャナ２４で読み取ることで可能となる。すなわち、顧客または同伴者がスキャナ２４を操作して商品のバーコードを読み取らせた後、試着対象者選択画面７０の「お客様」ボタン７１にタッチすると、タッチパネル２５に同伴者推奨サービス選択画面８０が表示されるので、顧客または同伴者は、この画面８０の「ＹＥＳ」ボタン８１にタッチする。
【００６７】
そうすると、商品情報データベース５において、当該商品の商品ＩＤを含み記憶されている商品データレコード５Ｒから、当該顧客と同伴者との間柄を示す同伴者属性データに対応した推奨商品コードが決定される。例えば、顧客が女性であり、同伴者がその恋人（男性）であった場合には、顧客が選んだ商品に対して、男性の恋人が着用するのに適した様々な種類の商品をまとめた推奨商品コードが決定される。そしてさらに、推奨商品データベース７から、当該推奨商品コードに関連付けて記憶された各種商品の商品ＩＤが検出される。そして、いずれか１つの商品ＩＤで特定される商品の画像が、同伴者の画像に重ね合わせて表示される。また、タッチパネル２５には、「次へ」ボタンと「終了」ボタンとが表示される。
【００６８】
ここで、他の推奨商品を確認したい場合には、顧客または同伴者は「次へ」ボタンにタッチする。確認を終える場合には、顧客または同伴者は「終了」ボタンにタッチする。「終了」ボタンにタッチすると、最後に同伴者の画像と重ね合わされた商品の商品ＩＤが、試着商品ＩＤ２エリア４６にセットされる。
【００６９】
したがって、顧客及び同伴者は、試着した商品を顧客が着用したときに同伴者が着用するのに適した商品の情報を容易に得ることができる。しかも、顧客と同伴者とがそれぞれ商品を試着したイメージで推奨商品が提示されるので、同伴者の購買意欲を高めることができる。
【００７０】
さて、試着した商品を購入しない場合、顧客または同伴者は、図１３の画面において「終了」ボタン５４にタッチする。これに対し、購入する場合には「購入」ボタン５３にタッチする。そうすると、先ず、お客様用購入確認画面９０が表示されるので、顧客または同伴者は、顧客が試着した商品を購入する場合には「購入する」ボタン９１にタッチし、購入しない場合には「購入しない」ボタン９２にタッチする。次いで、同伴者様用購入確認画面１００が表示されるので、顧客または同伴者は、同伴者が試着した商品を購入する場合には「購入する」ボタン１０１にタッチし、購入しない場合には「購入しない」ボタン１０２にタッチする。
【００７１】
以上の操作により、タッチパネル２５には、顧客または同伴者が購入すると決めた商品の商品名及び価格と合計金額とが表示される。したがって、顧客及び同伴者は、購入すると決めた商品の合計金額を容易に知ることができる。
【００７２】
なお、本発明は、前記実施形態に限定されるものではない。  
例えば前記実施形態では、推奨商品データベース７において、推奨商品コードに関連付けて推奨商品の商品ＩＤを記憶する。このため、商品の種類に関わりなく推奨商品が報知される。そこで他の実施形態では、推奨商品データベース７において、推奨商品コードに関連付けて推奨商品の商品ＩＤをその推奨商品の商品分類と対にして記憶する。また、推奨商品を確認する際に商品の分類を指定する手段を設ける。こうすることにより、指定された分類の推奨商品のみを報知できるようになる。
【００７３】
また、前記実施形態では、推奨商品の画像を１品ずつ同伴者の画像に重ね合わせることで、推奨商品を顧客及び同伴者に報知する。推奨商品の報知手段は、これに限定されるものではない。例えば、複数の推奨商品の画像をリスト形式で表示部２２に表示して、報知するようにしてもよい。
【００７４】
また、前記実施形態では、客と同伴者の２名で仮想試着システムを利用する場合が例示される。客画像エリアと試着商品ＩＤエリアの数を増やす等によって、例えば両親と子供というように３名以上で利用可能な仮想試着システムを構築することは容易に実施できる。
【００７５】
また、前記実施形態では、表示部２２の他にタッチパネル２５を備えたが、表示部２２をタッチパネルとし、種々の操作ボタンやガイダンス等をタッチパネル２５でなく表示部２２に表示するようにしてもよい。
【００７６】
なお、前記実施形態は、装置内部のプログラム記憶部であるＲＯＭ２０２に発明の機能を実現させる制御プログラムが予め記録されているものとした。しかしこれに限らず、同様のプログラムがネットワークから装置にダウンロードされてもよい。あるいは、記録媒体に記録された同様のプログラムが、装置にインストールされてもよい。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００７７】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
以下に、本願出願の当初の特許請求の範囲に記載された発明を付記する。  
［１］少なくとも１名の人物の画像データを記憶する画像記憶部と、前記人物が試着する品を特定する品特定手段と、前記画像記憶部に２名以上の人物の画像データが記憶されかつ前記品特定手段により品が特定されると、前記画像記憶部に記憶された画像データに基づいて２名以上の人物の画像を表示するとともに、いずれかの人物の画像に対しては前記品特定手段により特定された品の画像を重ね合わせて表示する表示手段とを具備したことを特徴とする仮想試着装置。  
［２］前記画像記憶部に２名以上の人物の画像データが記憶されかつ前記品特定手段により品が特定されると、前記２名以上の人物のなかから前記特定された品を試着する人物を選択する選択手段、をさらに備え、前記表示手段は、前記選択手段により選択された人物の画像に対して前記品特定手段により特定された品の画像を重ね合わせて表示することを特徴とする付記［１］記載の仮想試着装置。  
［３］試着する人物を撮影する撮影手段、をさらに備え、前記撮影手段により撮影された人物の画像データを前記画像記憶部で記憶することを特徴とす付記［１］または［２］記載の仮想試着装置。  
［４］前記２名以上の人物の間柄を取得する間柄取得手段と、この間柄取得手段により取得された間柄の情報と前記品特定手段により特定された品の情報とから、前記品を試着する人物に対して前記間柄取得手段により取得された間柄の関係がある人物への推奨品を決定する推奨品決定手段と、前記推奨品を報知する報知手段と、をさらに具備したことを特徴とする付記［１］乃至［３］のうちいずれか１に記載の仮想試着装置。  
［５］前記報知手段は、前記品を試着する人物に対して前記間柄取得手段により取得された間柄の関係がある人物の画像に、前記推奨品の画像を重ね合わせて表示することを特徴とする付記［４］記載の仮想試着装置。  
［６］少なくとも1名の人物の画像データを記憶する画像記憶部を備えたコンピュータに、前記人物が試着する品を特定させる品特定機能と、前記画像記憶部に２名以上の人物の画像データが記憶されかつ前記品特定機能により品が特定されると、前記画像記憶部に記憶された画像データに基づいて２名以上の人物の画像を表示部に表示させるとともに、いずれかの人物の画像に対しては前記品特定機能により特定された品の画像を重ね合わせて表示させる表示機能と、を実現させるための仮想試着プログラム。
【符号の説明】
【００７８】
１…試着支援サーバ、２…試着室端末、３…試着室、５…商品情報データベース、６…商品画像データベース、７…推奨商品データベース、２２…表示部、２３…カメラ、２４…スキャナ、２５…タッチパネル。
【図１】
0005548728.tif 000002
【図２】
0005548728.tif 000003
【図３】
0005548728.tif 000004
【図４】
0005548728.tif 000005
【図５】
0005548728.tif 000006
【図６】
0005548728.tif 000007
【図７】
0005548728.tif 000008
【図８】
0005548728.tif 000009
【図９】
0005548728.tif 000010
【図１０】
0005548728.tif 000011
【図１１】
0005548728.tif 000012
【図１２】
0005548728.tif 000013
【図１３】
0005548728.tif 000014
【図１４】
0005548728.tif 000015
【図１５】
0005548728.tif 000016
【図１６】
0005548728.tif 000017
【図１７】
0005548728.tif 000018
【図１８】
0005548728.tif 000019
【図１９】
0005548728.tif 000020